(57)【要約】【課題】層厚規制時に現像剤が受ける圧力が過剰になることを低減しつつ、磁力不足に伴う画質低下を抑制すること。【解決手段】現像領域（Ｑ３）に対応して配置された第１の磁極（Ｎ１）と、回転部材（２）と層厚規制部材（Ｇｅ）とが対向する規制領域（３）に対して回転部材（２）の回転方向の上流側に配置されて現像容器（Ｖ）内の現像剤を回転部材（２）の表面に吸着させる第２の磁極（Ｎ３）と、を有し、規制領域（３）に対応する位置に磁極が配置されていない磁石部材（１）と、非磁性の回転部材本体（６）の回転方向に沿って間隔をあけて複数配置された磁性材料製の磁化部（６ｂ）であって、第２の磁極（Ｎ３）の位置を通過する際に第２の磁極（Ｎ３）の磁力を受けて着磁され且つ残留磁化で現像剤を保持する磁化部（６ｂ）と、を有する回転部材（２）と、を備えた現像装置（Ｇ）。【選択図】図３
2012189957.tif 000002
【特許請求の範囲】
【請求項１】
内部に現像剤が収容された現像容器と、
表面に潜像が形成された像保持体に対向して配置された現像剤保持体であって、複数の磁極を有する磁石部材と、前記磁石部材の回りを回転可能に支持された回転部材と、を有し、前記現像容器内の現像剤を前記回転部材の表面に保持して、前記像保持体と対向する現像領域に搬送して、前記像保持体の潜像を可視像に現像する前記現像剤保持体と、
前記現像領域に対して前記回転部材の回転方向の上流側に配置され、前記回転部材の表面に保持された現像剤の層の厚さを規制する層厚規制部材と、
前記現像領域に対応して配置された第１の磁極と、前記回転部材と前記層厚規制部材とが対向する規制領域に対して前記回転部材の回転方向の上流側に配置されて前記現像容器内の現像剤を前記回転部材の表面に吸着させる第２の磁極と、を有し、前記規制領域に対応する位置に磁極が配置されていない前記磁石部材と、
前記磁石部材の回りを回転可能に支持された非磁性の回転部材本体と、前記回転部材本体の回転方向に沿って間隔をあけて複数配置された磁性材料製の磁化部であって、前記第２の磁極の位置を通過する際に前記第２の磁極の磁力を受けて着磁され且つ残留磁化で現像剤を保持する前記磁化部と、を有する前記回転部材と、
を備えたことを特徴とする現像装置。
【請求項２】
回転する像保持体と、
前記像保持体の表面に潜像を形成する潜像形成装置と、
前記像保持体の表面の潜像を可視像に現像する請求項１に記載の現像装置と、
前記像保持体の表面の可視像を媒体に転写する転写装置と、
前記媒体に転写された可視像を定着させる定着装置と、
を備えたことを特徴とする画像形成装置。
【発明の詳細な説明】
【技術分野】
【０００１】
本発明は、現像装置および画像形成装置に関する。
【背景技術】
【０００２】
従来、複写機やプリンタ等の画像形成装置において、潜像の現像を行う現像装置に関する技術として、以下の特許文献１〜３に記載の技術が従来公知である。
特許文献１としての特開平１１−６１００３号公報には、現像剤担持体の表面に磁性塗料を塗布して薄層の磁性体層を形成し、磁性体層に微小ピッチの着磁をして、現像剤を磁力で吸着して搬送することで、現像剤担持体の構造を簡素化しつつ、濃度ムラを低減する技術が記載されている。
【０００３】
特許文献２としての特開平１１−２６２３８号公報には、円筒状の基体の周面に磁性材料の薄層が形成された被着磁体（２）に対して、磁気ヘッドを使用して、着磁させる技術が記載されている。
特許文献３としての特開平１１−９５５５９号公報には、表面に形成された導電層（１２ａ）と、導電層（１２ａ）の内側に設けられ且つ周方向に沿ってＳ極とＮ極とが交互に微小ピッチで着磁されたフェライト磁石製の磁気記録層（１２ｂ）と、を有する現像ロール（１２）が記載されている。
特許文献４としての特開平３−２５９２７６号公報には、弾性層（４２）の表面に、磁化反転ピッチが１００［μｍ］以下になるように磁化された磁界発生層（４３，４５，５４，６３，７３，８３，９４，１０１，１１１，１２１）を形成した現像ローラが記載されている。
【先行技術文献】
【特許文献】
【０００４】
【特許文献１】特開平１１−６１００３号公報（「００５７」〜「００５８」、「００８１」、図１）
【特許文献２】特開平１１−２６２３８号公報（「００１５」〜「００１６」、図３）
【特許文献３】特開平１１−９５５５９号公報（「００５２」〜「００５６」、図４）
【特許文献４】特開平３−２５９２７６号公報（第４ページ右上欄第１４行〜第６ページ左下欄第９行、図４〜図１１）
【発明の概要】
【発明が解決しようとする課題】
【０００５】
本発明は、層厚規制時に現像剤が受ける圧力が過剰になることを低減しつつ、磁力不足に伴う画質低下を抑制することを技術的課題とする。
【課題を解決するための手段】
【０００６】
前記技術的課題を解決するために、請求項１記載の発明の現像装置は、
内部に現像剤が収容された現像容器と、
表面に潜像が形成された像保持体に対向して配置された現像剤保持体であって、複数の磁極を有する磁石部材と、前記磁石部材の回りを回転可能に支持された回転部材と、を有し、前記現像容器内の現像剤を前記回転部材の表面に保持して、前記像保持体と対向する現像領域に搬送して、前記像保持体の潜像を可視像に現像する前記現像剤保持体と、
前記現像領域に対して前記回転部材の回転方向の上流側に配置され、前記回転部材の表面に保持された現像剤の層の厚さを規制する層厚規制部材と、
前記現像領域に対応して配置された第１の磁極と、前記回転部材と前記層厚規制部材とが対向する規制領域に対して前記回転部材の回転方向の上流側に配置されて前記現像容器内の現像剤を前記回転部材の表面に吸着させる第２の磁極と、を有し、前記規制領域に対応する位置に磁極が配置されていない前記磁石部材と、
前記磁石部材の回りを回転可能に支持された非磁性の回転部材本体と、前記回転部材本体の回転方向に沿って間隔をあけて複数配置された磁性材料製の磁化部であって、前記第２の磁極の位置を通過する際に前記第２の磁極の磁力を受けて着磁され且つ残留磁化で現像剤を保持する前記磁化部と、を有する前記回転部材と、
を備えたことを特徴とする。
【０００７】
前記技術的課題を解決するために、請求項２に記載の発明の画像形成装置は、
回転する像保持体と、
前記像保持体の表面に潜像を形成する潜像形成装置と、
前記像保持体の表面の潜像を可視像に現像する請求項１に記載の現像装置と、
前記像保持体の表面の可視像を媒体に転写する転写装置と、
前記媒体に転写された可視像を定着させる定着装置と、
を備えたことを特徴とする。
【発明の効果】
【０００８】
請求項１、２に記載の発明によれば、第１の磁極を有すると共に第２の磁極で着磁される磁化部を有しない構成に比べて、層厚規制時に現像剤が受ける圧力が過剰になることを低減しつつ、磁力不足に伴う画質低下を抑制することができる。
【図面の簡単な説明】
【０００９】
【図１】図１は実施例１の画像形成装置の斜視図である。
【図２】図２は実施例１の画像形成装置の全体説明図である。
【図３】図３は実施例１の現像装置の要部拡大図である。
【図４】図４は実施例１の現像スリーブの要部説明図である。
【図５】図５は実施例１の現像スリーブの磁化部の着磁の説明図である。
【図６】図６は従来の現像装置の説明図である。
【発明を実施するための形態】
【００１０】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１１】
図１は実施例１の画像形成装置の斜視図である。
図１において、実施例１の画像形成装置の一例としてのプリンタＵでは、前面下部に、媒体の一例としてのシートＳが収容される給紙部の一例としての給紙トレイＴＲ１が設けられている。また、プリンタＵの上面には、画像が記録されたシートＳが排出される排出部の一例としての排出トレイＴＲｈが形成されている。また、前面右部には、後述する現像剤収容容器の一例としてのトナーカートリッジを操作する際に開閉される開閉部の一例としてのフロントカバーＵ１ａが形成されている。
【００１２】
図２は実施例１の画像形成装置の全体説明図である。
図２において、プリンタＵは制御部の一例としてのコントローラＣと、前記コントローラＣにより作動を制御される画像処理部ＩＰＳ、潜像形成回路の一例としてのレーザ駆動回路ＤＬ、および電源装置Ｅ等を有している。電源装置Ｅは、後述の帯電器の一例としての帯電ロールＣＲ、現像部材の一例としての現像ローラＧａ、および、転写装置の一例としての転写ローラＴｒ等に電圧を印加する。
前記画像処理部ＩＰＳは、外部の情報送信装置の一例としてのコンピュータ等から入力された印刷情報を潜像形成用の画像情報に変換して予め設定された時期、すなわち、タイミングでレーザ駆動回路ＤＬに出力する。レーザ駆動回路ＤＬは、入力された画像情報に応じて駆動信号を潜像形成装置ＬＨに出力する。実施例１の潜像形成装置ＬＨは、左右方向に沿って、予め設定された間隔で潜像書込素子の一例としてのＬＥＤが線状に配置された装置、いわゆるＬＥＤヘッドにより構成されている。
【００１３】
プリンタＵの後部には、回転駆動する像保持体の一例としての感光体ＰＲが支持されている。前記感光体ＰＲの周囲には、感光体ＰＲの回転方向に沿って、帯電ロールＣＲ、潜像形成装置ＬＨ、現像装置Ｇ、転写ロールＴｒ、像保持体用の清掃器の一例としての感光体クリーナＣＬが配置されている。
図２において、前記帯電ロールＣＲには、帯電ロールＣＲ表面を清掃する帯電器用の清掃器の一例としての帯電ロールクリーナＣＲｃが対向、接触して配置されている。
【００１４】
また、前記現像装置Ｇは、内部に現像剤が収容される現像容器Ｖを有する。なお、実施例１では、現像剤の一例として、負極性に帯電する非磁性のトナーと、正極性に帯電する磁性のキャリアとを含む二成分現像剤が使用されているが、これに限定されず、磁性トナーのみからなる一成分現像剤も使用可能である。前記現像容器Ｖ内には、感光体ＰＲに対向して配置された現像剤保持体の一例としての現像ロールＧａと、現像剤を撹拌しながら循環搬送する一対の循環搬送部材Ｇｂ，Ｇｃと、循環搬送部材で撹拌された現像剤を現像ロールＧａに搬送する供給部材Ｇｄと、が配置されている。また、現像容器Ｖ内において、現像ロールＧａの斜め上方には、現像ロールＧａの表面の現像剤の層の厚さを規制する層厚規制部材Ｇｅが現像ロールＧａの表面に対向して配置されている。さらに、現像ロールＧａの斜め下方には、供給部材Ｇｄとの間に、現像後の現像ロールＧａの表面に付着する現像剤を剥離させる剥離部材Ｇｆが現像ロールＧａに対向して配置されている。
【００１５】
前記現像容器Ｖの前側上面には、補給部の一例としての現像剤補給口Ｖ１が形成されており、現像剤補給口Ｖ１には、現像剤搬送路の一例として、前方に延びる現像剤補給路Ｖ３が連結されている。前記現像剤補給路Ｖ３内部には、現像剤搬送部材の一例としての補給オーガＶ４が回転可能に支持されている。前記現像剤補給路Ｖ３の前端には、トナーカートリッジＴＣが着脱される被着脱部の一例としてのカートリッジホルダＫＨが連結されており、トナーカートリッジＴＣからの現像剤が流入する。したがって、現像装置Ｇでの現像剤の消費量に応じて、補給オーガＶ４が駆動すると、トナーカートリッジＴＣから現像剤が現像装置Ｇに補給される。
【００１６】
回転する感光体ＰＲの表面は、帯電領域Ｑ１において帯電ロールＣＲにより帯電され、潜像形成位置Ｑ２において潜像形成装置ＬＨから出射する潜像形成光により静電潜像が形成される。前記静電潜像は現像領域Ｑ３において現像ロールＧａにより可視像の一例としてのトナー像に現像され、感光体ＰＲ及び転写ロールＴｒとの対向領域により形成される転写領域Ｑ４において転写ロールＴｒにより媒体の一例としての記録シートＳに転写される。感光体ＰＲ表面の残留トナーは、転写領域Ｑ４の下流側の清掃領域の一例としてのクリーニング領域Ｑ５において清掃部材の一例としてのクリーニングブレードＣＢにより除去され、感光体クリーナＣＬ内部に回収される。
なお、前記クリーニングブレードＣＢの対向する側には飛散防止部材の一例としてのフィルムシールＦＳが設けられており、フィルムシールＦＳは感光体クリーナＣＬ内に回収されたトナーが外にこぼれ出るのを防止する。
【００１７】
図２において、プリンタＵの下部の給紙トレイＴＲ１には、媒体取り出し部材の一例としてのピックアップロールＲｐが配置されている。前記ピックアップロールＲｐにより取出された記録シートＳは、媒体さばき部材の一例としてのリタードロールおよび給紙ロールを有するさばきロールＲｓにより１枚づつ分離されて、シート搬送路ＳＨに沿って配置された媒体搬送部材の一例としてのシート搬送ロールＲａにより搬送され、転写領域Ｑ４のシート搬送方向の上流側に配置された時期調節部材の一例としてのレジロールＲｒにより予め設定されたタイミングで、転写領域Ｑ４に搬送される。
【００１８】
前記コントローラＣにより動作が制御される電源装置Ｅ等から転写電圧が印加される転写ロールＴｒは、転写領域Ｑ４を通過する記録シートＳに感光体ＰＲ上のトナー像を転写する。
前記転写領域Ｑ４においてトナー像が転写された記録シートＳは、トナー像が未定着の状態で定着装置Ｆに搬送される。前記定着装置Ｆは定着部材の一例としての一対の定着ロールＦｈ，Ｆｐを有し、前記一対の定着ロールＦｈ，Ｆｐの圧接領域によって定着領域Ｑ６が形成される。前記定着装置Ｆに搬送された記録シートＳは、定着領域Ｑ６において一対の定着ロールＦｈ，Ｆｐによりトナー像が定着される。定着トナー像が形成された記録シートＳは、媒体案内部材の一例としてのシートガイドＳＧ１，ＳＧ２によってガイドされ、排出部材の一例としての排出ロールＲ１からプリンタ本体Ｕ１上面の前記排出トレイＴＲｈに排出される。
【００１９】
（現像ロールの説明）
図３は実施例１の現像装置の要部拡大図である。
図３において、実施例１の現像ロールＧａは、磁石部材の一例として、現像容器Ｖに固定支持され且つ左右方向に延びる円柱状の磁石ロール１を有する。前記磁石ロール１の外周には、回転部材の一例として、左右方向に延びる円筒状の現像スリーブ２が現像容器Ｖに回転可能に支持されている。
【００２０】
実施例１の磁石ロール１には、現像領域Ｑ３に対応して、第１の磁極の一例としての現像磁極Ｎ１が配置されている。前記現像磁極Ｎ１に対して現像スリーブ２の回転方向の下流側には、現像磁極Ｎ１とは逆極性の搬送磁極Ｓ１が配置されており、搬送磁極Ｓ１に対して現像スリーブ２の回転方向の下流側には、剥離磁極の一例として、剥離部材Ｇｆに対応して搬送磁極Ｓ１と逆極性のピックオフ磁極Ｎ２が配置されている。現像スリーブ２の回転方向に対して、ピックオフ磁極Ｎ２の下流側且つ層厚規制部材Ｇｅの上流側には、第２の磁極の一例であって吸着磁極の一例として、ピックオフ磁極Ｎ２と同極性のピックアップ磁極Ｎ３が配置されている。
なお、実施例１では、一例として、現像磁極Ｎ１が１２０［ｍＴ］〜１５０［ｍＴ］、搬送磁極Ｓ１が８０［ｍＴ］、ピックアップ磁極Ｎ２およびピックオフ磁極Ｎ３が５０［ｍＴ］に設定されているが、数値はこれに限定されず、設計や仕様等に応じて任意に変更可能である。
また、実施例１の磁石ロール１では、層厚規制部材Ｇｅと現像スリーブ２とが対向する規制領域の一例としてのトリミング領域３に対応する位置には、磁極が配置されていない。
【００２１】
図４は実施例１の現像スリーブの要部説明図である。
図４において、実施例１の現像スリーブ２は、回転部材本体の一例として、非磁性材料により構成されたスリーブ本体６を有する。なお、実施例１のスリーブ本体６は、非磁性且つ導電性の材料の一例としてのアルミニウムが使用されているが、アルミニウムに限定されず、例えば、非磁性ステンレスや導電性樹脂等の非磁性且つ導電性の任意の材料を使用可能である。
実施例１のスリーブ本体６の外周面には、軸方向に沿って延びる複数の溝部６ａが、周方向に予め設定された間隔をあけて形成されている。各溝部６ａには、磁性材料製の磁化部６ｂが形成されている。なお、実施例１の磁化部６ｂは、磁性材料の一例としての鉄が使用されているが、鉄に限定されず、例えば、フェライトや酸化クロム等の常磁性体、いわゆる磁石以外の任意の磁性材料を使用可能であり、特に、残留磁化が大きい材料が好ましい。また、前記磁化部６ｂの作製方法は、特に限定されず、従来公知の任意の作製方法で作成可能であり、例えば、棒状や帯状の磁性材料を溝部６ａに接着剤等で固定したり、粉状の磁性材料に接着剤が添加されたペースト状態の材料を溝部６ａに詰めて固めたり、エッチングで形成する等、材料を塗布する方法など任意の方法が採用可能である。
【００２２】
（実施例１の作用）
前記構成を備えた実施例１のプリンタＵでは、画像形成が行われると、帯電された感光体ＰＲの表面に潜像が形成され、現像装置Ｇで可視像に現像されて、転写領域Ｑ４を記録シートＳが通過する際に転写され、定着装置Ｆで定着される。
図３において、実施例１の現像装置Ｇでは、現像容器Ｖ内の現像剤は、磁石ロール１のピックアップ磁極Ｎ３の磁界の磁力で吸着されて現像スリーブ２の表面に吸着される。そして、現像スリーブ２の回転に伴って、現像スリーブ２の表面に付着して下流側に搬送される。
【００２３】
図５は実施例１の現像スリーブの磁化部の着磁の説明図である。
図５において、現像スリーブ２の回転に伴って、磁化部６ｂがピックアップ磁極Ｎ３を通過する際に、各磁化部６ｂはピックアップ磁極Ｎ３の磁力を受けて着磁する。したがって、着磁された磁化部６ｂの残留磁化に伴う磁力に現像剤が吸着、保持されて下流側に搬送される。
図３において、層厚規制部材Ｇｅと対向するトリミング領域３において、現像スリーブ２の表面に保持された現像剤の層の厚さが規制され、現像領域Ｑ３に搬送される。現像領域Ｑ３では、現像磁極Ｎ１の磁界に応じて、表面の現像剤は穂立ちして現像に使用される。現像後の現像スリーブ２の表面の現像剤は、現像磁極Ｎ１と搬送磁極Ｓ１との間の磁界や、搬送磁極Ｓ１とピックオフ磁極Ｎ２との間の磁界に伴う磁力で現像スリーブ２の表面に吸着、保持され、下流側に搬送される。そして、ピックオフ磁極Ｎ２とピックアップ磁極Ｎ３との間では、同一のＮ極の磁極どうしの間で磁力が弱くなると共に、剥離部材Ｇｆに掻き取られて、現像剤が現像スリーブ２の表面から離脱し、現像容器Ｖ内に戻され、再び循環搬送部材Ｇｂ，Ｇｃで撹拌される。
【００２４】
図６は従来の現像装置の説明図である。
図６において、従来の現像装置では、磁石ロール０１には、層厚規制部材０２に対応する位置に層厚規制磁極０３が配置されており、層厚規制磁極０３とピックアップ磁極０４との間の磁界で現像剤を現像スリーブ０６の表面に吸着した状態で搬送していた。したがって、現像剤が層厚規制部材０２で規制されても、層厚規制磁極０３とピックアップ磁極０４との間の磁界を受けて、現像スリーブ０６の回転方向に対して層厚規制部材０２の上流側に滞留しやすかった。したがって、滞留した現像剤に対して、現像スリーブ０６の表面に吸着された現像剤が上流から送り込まれることとなり、層厚規制部材０２の上流側で現像剤が受ける圧力が過剰になりやすかった。よって、現像剤が劣化したり、過大な圧力を受けて層厚規制部材０２が変形して現像剤の層の厚さが変動したりする問題があった。
【００２５】
これに対して、実施例１の現像装置Ｇでは、層厚規制磁極０３に対応する磁極が省略されており、ピックアップ磁極Ｎ３で着磁された磁化部６ｂに吸着され、図６に示す従来の構成に比べて少ない現像剤が層厚規制部材Ｇｅの位置に搬送される。ここで、現像剤を現像スリーブ０６に吸着させるための磁界も発生させるために、１００ｍＴ程度の大きさの層厚規制磁極０３を有する従来の構成に比べて、ピックアップ磁極Ｎ３で着磁される磁化部６ｂは、磁力が弱くなる。したがって、磁化部６ｂに保持される現像剤自体が少なく、それに伴って、規制される現像剤も少なくなると共に、磁力の弱い磁化部６ｂに規制された現像剤が保持されにくく、層厚規制部材Ｇｅの上流側に滞留することが低減される。よって、実施例１の現像装置Ｇでは、層厚規制部材Ｇｅの上流側で滞留する現像剤に作用する圧力が低減され、現像剤の劣化が低減されると共に、層厚規制部材Ｇｅの変形に伴う層厚の変動が低減される。
【００２６】
また、特許文献１〜４に記載されているような微小ピッチ着磁された構成では、磁力が弱く、現像領域Ｑ３において、現像剤を保持する力が弱くなる。したがって、磁力不足に伴ってキャリアが感光体ＰＲに移動する現象、いわゆるキャリア付着や現像剤が過剰に感光体ＰＲに移動する現象が発生しやすく、画質が低下する問題があった。これに対して、実施例１のプリンタＵでは、現像領域Ｑ３に対応して現像磁極Ｎ１が配置されており、現像磁極Ｎ１の磁界を受けてキャリアが感光体ＰＲに移動することが低減される。したがって、画質が低下することが低減されている。
【００２７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ05）を下記に例示する。
（Ｈ01）前記実施例において、画像形成装置の一例としてのプリンタを例示したが、これに限定されず、例えば、複写機、ＦＡＸ、あるいはこれらの複数または全ての機能を有する複合機等により構成することも可能である。
（Ｈ02）前記実施例において、前記プリンタＵは、単色の現像剤が使用される構成を例示したが、これに限定されず、例えば、２色以上の多色の画像形成装置にも適用可能である。また、感光体ＰＲから記録シートＳに、転写装置の一例としての転写ロールＴｒにより直接画像が転写される構成を例示したが、これに限定されず、中間転写体や一次転写器、二次転写器等からなる転写装置を使用する構成に適用することも可能である。
【００２８】
（Ｈ03）前記実施例において、磁化部６ｂは、軸方向に延びる帯状の構成を例示したが、これに限定されず、例えば、現像スリーブ２の外表面に粒状、円状の複数の磁化部６ｂが散在、点在するような構成としたり、軸方向ではなく軸方向に対して傾斜する形状等、任意の変更が可能である。
（Ｈ04）前記実施例において、磁極Ｎ１〜Ｎ３、Ｓ１の極性や数は、設計に応じて任意に変更可能である。例えば、搬送磁極Ｓ１を無くしたり、層厚規制部材Ｇｅの下流側且つ現像磁極Ｎ１の間に搬送磁極を追加したり、或いは、現像磁極Ｎ１とピックオフ磁極Ｎ２との間に２つ以上の搬送磁極を設けたり、層厚規制部材Ｇｅの上流側且つピックアップ磁極Ｎ３の下流側に搬送磁極を追加する等の変更が可能である。また、ピックオフ磁極Ｎ２は設けることが望ましいが、剥離部材Ｇｆで剥離可能である場合には省略することも可能である。
【００２９】
（Ｈ05）前記実施例において、剥離部材Ｇｆは設けることが望ましいが、ピックオフ磁極Ｎ２とピックアップ磁極Ｎ３との間の磁界で現像剤の剥離がかのうであれば、省略することも可能である。
【符号の説明】
【００３０】
１…磁石部材、
２…回転部材、
３…規制領域、
６…回転部材本体、
６ｂ…磁化部、
Ｆ…定着装置、
Ｇ…現像装置、
Ｇａ…現像剤保持体、
Ｇｅ…層厚規制部材、
ＬＨ…潜像形成装置、
Ｎ１…第１の磁極、
Ｎ１，Ｎ２，Ｎ３，Ｓ１…磁極、
Ｎ３…第２の磁極、
ＰＲ…像保持体、
Ｑ３…現像領域、
Ｓ…媒体、
Ｔｒ…転写装置、
Ｕ…画像形成装置、
Ｖ…現像容器。
【図１】
2012189957.tif 000003
【図２】
2012189957.tif 000004
【図３】
2012189957.tif 000005
【図４】
2012189957.tif 000006
【図５】
2012189957.tif 000007
【図６】
2012189957.tif 000008